(57)【要約】  小売物品用アテンション（２０）は、小売物品（２４）に接着される接着領域（２３）及び小売物品（２４）から突出する突出領域（２２）を有するラベル部（２１）と、ラベル部（２１）に設けられたＲＦＩＤタグ（１０）であって、ＲＦＩＣ素子（１）と、ＲＦＩＣ素子（１）の一端部及び他端部にそれぞれ接続された第１アンテナ部（３ａ）及び第２アンテナ部（３ｂ）を有するアンテナパターン（３）と、を有するＲＦＩＤタグ（１０）と、を備え、ＲＦＩＤタグ（１０）の第１アンテナ部（３ａ）は、ラベル部（２１）の突出領域（２２）に設けられており、ＲＦＩＤタグ（１０）の第２アンテナ部（３ｂ）は、ラベル部（２１）の接着領域（２３）に小売物品（２４）の一部と対向配置して設けられている。
2018012427.tif 000002
【特許請求の範囲】
【請求項１】
小売物品に接着される接着領域及び前記小売物品から突出する突出領域を有するラベル部と、  前記ラベル部に設けられたＲＦＩＤタグであって、ＲＦＩＣ素子と、前記ＲＦＩＣ素子の一端部及び他端部にそれぞれ接続された第１アンテナ部及び第２アンテナ部を有するアンテナパターンと、を有するＲＦＩＤタグと、を備え、  前記ＲＦＩＤタグの前記第１アンテナ部は、前記ラベル部の前記突出領域に設けられており、前記ＲＦＩＤタグの前記第２アンテナ部は、前記ラベル部の前記接着領域に前記小売物品の一部と対向配置して設けられている、小売物品用アテンション。
【請求項２】
前記第１アンテナ部と前記第２アンテナ部とは、前記ＲＦＩＣ素子について互いに非対称形状である、請求項１に記載の小売物品用アテンション。
【請求項３】
前記第１アンテナ部は、前記ＲＦＩＣ素子の前記一端部及び前記他端部を接続するループ部であり、前記第２アンテナ部は、前記他端部の近傍から突出した引出し部である、請求項１に記載の小売物品用アテンション。
【請求項４】
前記アンテナパターンは、前記ＲＦＩＣ素子の前記一端部及び前記他端部を接続するループ部を含まない、請求項１に記載の小売物品用アテンション。
【請求項５】
前記第１アンテナ部は、前記ＲＦＩＣ素子の一端部から第１方向に延在し、前記第２アンテナ部は、ＲＦＩＣ素子の他端部から前記第１方向と反対方向に第２方向に延在している、請求項１に記載の小売物品用アテンション。
【請求項６】
前記第１アンテナ部の長手方向は、前記第２アンテナ部の長手方向に対してほぼ直交方向である、請求項１に記載の小売物品用アテンション。
【請求項７】
前記ＲＦＩＣ素子は、ＲＦＩＣチップと、前記ＲＦＩＣチップに接続された整合回路と、を含むＲＦＩＣパッケージとして構成され、  前記整合回路によって、通信周波数に相当する共振周波数を画定する、請求項１に記載の小売物品用アテンション。
【請求項８】
前記第１アンテナ部の電気長は、前記第２アンテナ部の電気長より短い、請求項１に記載の小売物品用アテンション。
【請求項９】
前記ラベル部は、絶縁性の粘着剤で前記小売物品に取り付けられている、請求項１に記載の小売物品用アテンション。
【請求項１０】
小売物品用アテンションが取り付けられた小売物品であって、前記小売物品用アテンションは、前記小売物品に接着される接着領域及び前記小売物品から突出する突出領域を有するラベル部と、  前記ラベル部に設けられたＲＦＩＤタグであって、ＲＦＩＣ素子と、前記ＲＦＩＣ素子の一端部及び他端部にそれぞれ接続された第１アンテナ部及び第２アンテナ部を有するアンテナパターンと、を有するＲＦＩＤタグと、を備え、  前記ＲＦＩＤタグの前記第１アンテナ部は、前記ラベル部の前記突出領域に設けられており、前記ＲＦＩＤタグの前記第２アンテナ部は、前記ラベル部の前記接着領域に前記小売物品の一部と対向配置して設けられている、小売物品用アテンションが取り付けられた小売物品。
【発明の詳細な説明】
【技術分野】
【０００１】  本発明は、小売物品用アテンション及びこれを付した小売物品に関する。
【背景技術】
【０００２】  ＵＨＦ帯ＲＦＩＤシステムは、通信距離が長く、一度に複数のタグを読み取ることができることから、小売物品の管理（店頭在庫の管理や一括精算処理）への応用が期待されている。ＵＨＦ帯ＲＦＩＤタグが付された小売物品としては、物品本体にタグを直接的に取り付けた構造（例えば、特許文献１参照。）や、物品本体からタグを浮かした状態で取り付けた構造（例えば、特許文献２参照。）が知られている。
【先行技術文献】
【特許文献】
【０００３】
【特許文献１】特許第４６７４６３８号公報
【特許文献２】特開２００７−６９９７５号公報
【発明の概要】
【発明が解決しようとする課題】
【０００４】  しかし、物品本体にタグを直接的に取り付ける場合、物品本体の材質（誘電率）によってアンテナの実効的な電気長が変わってしまうため、その種類に応じたタグが必要になる。特に、物品本体が金属の場合、アンテナ利得が大幅に低下してしまう。【０００５】  一方、物品本体をタグから浮かした状態で取り付ける場合、タグは物品本体の影響を受けにくくなる。しかし、物品本体が金属の場合、タグとは反対側からの読取りができないため、多方向からの読取りが必要になる。【０００６】  そこで、本発明は、小売物品の材質によらず、高いアンテナ利得が得られる小売物品用アテンション及びこれを取り付けた小売物品を提供することを目的とする。
【課題を解決するための手段】
【０００７】  本発明に係る小売物品用アテンションは、小売物品に接着される接着領域及び前記小売物品から突出する突出領域を有するラベル部と、  前記ラベル部に設けられたＲＦＩＤタグであって、ＲＦＩＣ素子と、前記ＲＦＩＣ素子の一端部及び他端部にそれぞれ接続された第１アンテナ部及び第２アンテナ部を有するアンテナパターンと、を有するＲＦＩＤタグと、を備え、  前記ＲＦＩＤタグの前記第１アンテナ部は、前記ラベル部の前記突出領域に設けられており、前記ＲＦＩＤタグの前記第２アンテナ部は、前記ラベル部の前記接着領域に前記小売物品の一部と対向配置して設けられている。【０００８】  本発明に係る小売物品は、小売物品用アテンションが取り付けられた小売物品であって、前記小売物品用アテンションは、前記小売物品に接着される接着領域及び前記小売物品から突出する突出領域を有するラベル部と、  前記ラベル部に設けられたＲＦＩＤタグであって、ＲＦＩＣ素子と、前記ＲＦＩＣ素子の一端部及び他端部にそれぞれ接続された第１アンテナ部及び第２アンテナ部を有するアンテナパターンと、を有するＲＦＩＤタグと、を備え、  前記ＲＦＩＤタグの前記第１アンテナ部は、前記ラベル部の前記突出領域に設けられており、前記ＲＦＩＤタグの前記第２アンテナ部は、前記ラベル部の前記接着領域に前記小売物品の一部と対向配置して設けられている。
【発明の効果】
【０００９】  本発明に係る小売物品用アテンションによれば、小売物品が金属体であった場合にも、ラベル部の接着領域に小売物品の一部と対向配置して設けられた第２アンテナ部によって金属体をブースターアンテナとして利用できるので小売物品の材質によらず、高いアンテナ利得が得られる。
【図面の簡単な説明】
【００１０】
【図１Ａ】実施の形態１に係る小売物品用アテンションを小売物品に取り付けた状態を示す概略斜視図である。
【図１Ｂ】実施の形態１に係る小売物品用アテンションを別の小売物品に取り付けた状態を示す概略斜視図である。
【図１Ｃ】実施の形態１に係る小売物品用アテンションをさらに別の小売物品に取り付けた状態を示す概略斜視図である。
【図２】実施の形態１に係る小売物品用アテンションに用いるＲＦＩＤタグの構成を示す平面図である。
【図３】図１Ａの小売物品用アテンションを金属体の小売物品に取り付けた場合のＲＦＩＤタグと金属体との関係を示す概略図である。
【図４Ａ】図２のＲＦＩＤタグに含まれるＲＦＩＣ素子の断面構造を示す概略断面図である。
【図４Ｂ】図４ＡのＲＦＩＣ素子の等価回路図である。
【図５】実施の形態２に係る小売物品用アテンションの構成を示す概略斜視図である。
【図６】図５の小売物品用アテンションを金属体の小売物品に取り付けた場合のＲＦＩＤタグと金属体との関係を示す概略図である。
【図７Ａ】実施の形態２に係る小売物品用アテンションの構成を示す平面図である。
【図７Ｂ】図７Ａの概略断面図である。
【図８】図７Ａの小売物品用アテンションに含まれるＲＦＩＤタグの等価回路図である。
【図９Ａ】実施の形態３に係る小売物品用アテンションに含まれるＲＦＩＤタグの構成を示す平面図である。
【図９Ｂ】実施の形態３に係る小売物品用アテンションを金属体の小売物品に取り付けた場合のＲＦＩＤタグと金属体との関係を示す概略図である。
【図１０Ａ】実施の形態４に係る小売物品用アテンションに含まれるＲＦＩＤタグの構成を示す平面図である。
【図１０Ｂ】実施の形態４に係る小売物品用アテンションを金属体の小売物品に取り付けた場合のＲＦＩＤタグと金属体との関係を示す概略図である。
【図１１】実施の形態５に係る小売物品用アテンションに含まれるＲＦＩＤタグの構成を示す平面図である。
【図１２Ａ】実施の形態５に係る小売物品用アテンションを長い金属体の小売物品に取り付けた場合のＲＦＩＤタグと金属体との関係を示す概略図である。
【図１２Ｂ】実施の形態５に係る小売物品用アテンションを短い金属体の小売物品に取り付けた場合のＲＦＩＤタグと金属体との関係を示す概略図である。
【図１３Ａ】実施の形態６に係る小売物品のＲＦＩＤタグ読み取りシステムの概要を示す概略図である。
【図１３Ｂ】図１３Ａの小売物品のＲＦＩＤタグ読み取りシステムのブロック図である。
【発明を実施するための形態】
【００１１】  第１の態様に係る小売物品用アテンションは、小売物品に接着される接着領域及び前記小売物品から突出する突出領域を有するラベル部と、  前記ラベル部に設けられたＲＦＩＤタグであって、ＲＦＩＣ素子と、前記ＲＦＩＣ素子の一端部及び他端部にそれぞれ接続された第１アンテナ部及び第２アンテナ部を有するアンテナパターンと、を有するＲＦＩＤタグと、を備え、  前記ＲＦＩＤタグの前記第１アンテナ部は、前記ラベル部の前記突出領域に設けられており、前記ＲＦＩＤタグの前記第２アンテナ部は、前記ラベル部の前記接着領域に前記小売物品の一部と対向配置して設けられている。
【００１２】  上記構成によれば、小売物品が金属体であった場合にも、ラベル部の接着領域に小売物品の一部と対向配置して設けられた第２アンテナ部によって金属体をブースターアンテナとして利用できるので小売物品の材質によらず、高いアンテナ利得が得られる。
【００１３】  第２の態様に係る小売物品用アテンションは、上記第１の態様の構成において、前記第１アンテナ部と前記第２アンテナ部とは、前記ＲＦＩＣ素子について互いに非対称形状であってもよい。
【００１４】  第３の態様に係る小売物品用アテンションは、上記第１の態様の構成において、前記第１アンテナ部は、前記ＲＦＩＣ素子の前記一端部及び前記他端部を接続するループ部であり、前記第２アンテナ部は、前記他端部の近傍から突出した引出し部であってもよい。
【００１５】  第４の態様に係る小売物品用アテンションは、上記第１の態様の構成において、前記アンテナパターンは、前記ＲＦＩＣ素子の前記一端部及び前記他端部を接続するループ部を含まなくてもよい。
【００１６】  上記構成によれば、アンテナパターンには整合回路を構成するループ部を設けなくてもよい。この場合には、例えば、ＲＦＩＣ素子内に、ＲＦＩＣ素子の一端部及び他端部を接続し、整合回路を構成するループ部を設ければよい。
【００１７】  第５の態様に係る小売物品用アテンションは、上記第１の態様の構成において、前記第１アンテナ部は、前記ＲＦＩＣ素子の一端部から第１方向に延在し、前記第２アンテナ部は、ＲＦＩＣ素子の他端部から前記第１方向と反対方向に第２方向に延在していてもよい。
【００１８】  第６の態様に係る小売物品用アテンションは、上記第１の態様の構成において、前記第１アンテナ部の長手方向は、前記第２アンテナ部の長手方向に対してほぼ直交方向であってもよい。
【００１９】  第７の態様に係る小売物品用アテンションは、上記第１の態様の構成において、前記ＲＦＩＣ素子は、ＲＦＩＣチップと、前記ＲＦＩＣチップに接続された整合回路と、を含むＲＦＩＣパッケージとして構成され、  前記整合回路によって、通信周波数に相当する共振周波数を画定してもよい。
【００２０】  第８の態様に係る小売物品用アテンションは、上記第１の態様の構成において、前記第１アンテナ部の電気長は、前記第２アンテナ部の電気長より短くてもよい。
【００２１】  第９の態様に係る小売物品用アテンションは、上記第１の態様の構成において、前記ラベル部は、絶縁性の粘着剤で前記小売物品に取り付けられていてもよい。
【００２２】  第１０の態様に係る小売物品は、小売物品用アテンションが取り付けられた小売物品であって、前記小売物品用アテンションは、前記小売物品に接着される接着領域及び前記小売物品から突出する突出領域を有するラベル部と、  前記ラベル部に設けられたＲＦＩＤタグであって、ＲＦＩＣ素子と、前記ＲＦＩＣ素子の一端部及び他端部にそれぞれ接続された第１アンテナ部及び第２アンテナ部を有するアンテナパターンと、を有するＲＦＩＤタグと、を備え、  前記ＲＦＩＤタグの前記第１アンテナ部は、前記ラベル部の前記突出領域に設けられており、前記ＲＦＩＤタグの前記第２アンテナ部は、前記ラベル部の前記接着領域に前記小売物品の一部と対向配置して設けられている。
【００２３】  以下、実施の形態に係る小売物品用アテンションについて、添付図面を参照しながら説明する。なお、図面において実質的に同一の部材については同一の符号を付している。
【００２４】（実施の形態１）  図１Ａは、実施の形態１に係る小売物品用アテンション２０を小売物品（金属体）２４に取り付けた状態を示す概略斜視図である。図１Ｂは、実施の形態１に係る小売物品用アテンション２０を別の小売物品（飲料水入りペットボトル）２４ａに取り付けた状態を示す概略斜視図である。図１Ｃは、実施の形態１に係る小売物品用アテンション２０をさらに別の小売物品（カップ麺）２４ｂに取り付けた状態を示す概略斜視図である。図２は、実施の形態１に係る小売物品用アテンション２０に用いるＲＦＩＤタグ１０の構成を示す平面図である。図３は、図１Ａの小売物品用アテンション２０を金属体の小売物品２４に取り付けた場合のＲＦＩＤタグ１０と金属体２４との関係を示す概略図である。なお、図面には、発明の理解を助けるために、互いに直交するｘ軸、ｙ軸、およびｚ軸を備えるｘ−ｙ−ｚ座標系を示している。なお、本明細書においては、ｚ軸方向を小売物品用アテンション２０ａの厚さ方向とし、ｘ軸方向を幅方向とし、ｙ軸方向を長手方向とする。
【００２５】  実施の形態１に係る小売物品用アテンション２０は、小売物品２４に接着される接着領域２３及び小売物品から突出する突出領域２２を有するラベル部２１と、ラベル部２１に設けられたＲＦＩＤタグ１０と、を備える。ＲＦＩＤタグ１０は、ＲＦＩＣ素子１と、ＲＦＩＣ素子１の一端部及び他端部にそれぞれ接続された第１アンテナ部３ａ及び第２アンテナ部３ｂを有するアンテナパターンと、を有する。ＲＦＩＤタグの第１アンテナ部３ａは、ラベル部２１の突出領域２２に設けられており、ＲＦＩＤタグ１０の第２アンテナ部３ｂは、ラベル部２１の接着領域２３に小売物品２４の一部とラベル部２１を介して対向配置して設けられている。
【００２６】  図３に示すように、実施の形態１に係る小売物品用アテンション２０によれば、小売物品２４が金属体であった場合にも、第２アンテナ部３ｂは、ラベル部２１を介して金属体２４と容量結合する。そこで、金属体２４をブースターアンテナとして利用できるので小売物品が金属体２４の場合（図１Ａ）にも高いアンテナ利得が得られる。なお、小売物品が高い誘電率を有する飲料水入りペットボトル２４ａの場合（図１Ｂ）、小売物品が低い誘電率を有するカップ麺２４ｂの場合（図１Ｃ）、のいずれの場合にも高いアンテナ利得が得られる。
【００２７】  以下に、この小売物品用アテンション２０を構成する構成部材について説明する。
【００２８】  ＜小売物品用アテンション＞  小売物品用アテンション２０とは、小売物品２４に取り付けて目立たせるために追加されるラベルである。ここでは、小売物品用アテンション２０は、小売物品２４の表面に沿って設けられるものではなく、小売物品２４から突出し、空間に露出している。この小売物品用アテンション２０は、ラベル部２１と、ラベル部２１に設けられたＲＦＩＤタグ１０と、を有する。
【００２９】  ＜小売物品＞  小売物品としては、金属体、例えば、アルミ箔からなる袋体、金属缶２４の場合（図１Ａ）、誘電率の高い物品、例えば、飲料水入りペットボトル２４ａの場合（図１Ｂ）、誘電率の低い物品、例えば、カップ麺２４ｂの場合（図１Ｃ）のいずれであってもよい。なお、上記の例は一例であって、これらに限定するものではない。
【００３０】  ＜ラベル部＞  ラベル部２１は、小売物品２４に接着される接着領域２３及び小売物品２４から突出する突出領域２２を有する。ラベル部２１は、例えば、紙、ＰＥＴフィルムであってもよい。  ラベル部２１の突出領域２２は、小売物品２４の表面から離間して空間に飛び出している。また、ラベル部２１の突出領域２２には、ＲＦＩＤタグの第１アンテナ部３ａが設けられている。他の小売物品との接触を考慮すると、突出領域２２の突出長さは、３０ｍｍ以下が好ましく、さらに、２０ｍｍ以下がより好ましい。  また、ラベル部２１の接着領域２３は、粘着剤が設けられ、小売物品２４に取り付けられている。粘着剤は絶縁性の粘着剤が好ましい。ラベル部２１の接着領域２３には、ＲＦＩＤタグ１０の第２アンテナ部３ｂが小売物品２４の一部とラベル部２１を介して対向配置して設けられている。
【００３１】  ＜ＲＦＩＤタグ＞  図２は、ＲＦＩＤタグ１０の構成を示す平面図である。このＲＦＩＤタグ１０は、ＲＦＩＣ素子１と、ＲＦＩＣ素子１の一端部２ａ及び他端部２ｂにそれぞれ接続された第１アンテナ部３ａ及び第２アンテナ部３ｂを有するアンテナパターンと、を有する。第１アンテナ部３ａは、ＲＦＩＣ素子１の一端部２ａ及び他端部２ｂを接続するループ部４ａである。第２アンテナ部３ｂは、他端部２ｂの近傍から突出した引出し部４ｂである。つまり、このＲＦＩＤタグ１０は、ループ部４ａと引き出し部４ｂとを有するいわゆるおたまじゃくし型（tadpole shape）を有する。なお、「おたまじゃくし型」とは、例えば、円又は楕円状の本体部と、本体部から延びる尾部と、を有する形状を意味する。あるいは、「お玉杓子状（ladle shape）」又は「スプーン状（spoon shape）」として表現できる。ＲＦＩＤタグの第１アンテナ部３ａは、ラベル部２１の突出領域２２に設けられている。また、ＲＦＩＤタグ１０の第２アンテナ部３ｂは、ラベル部２１の接着領域２３に小売物品２４の一部とラベル部２１を介して対向配置して設けられている。これによって、小売物品２４が金属体の場合には、第２アンテナ部３ａと金属体２４とはラベル部２１を介して容量結合する。これによって金属体２４をブースターアンテナとして利用できる。一方、第１アンテナ部３ａは、金属体２４の表面から突出しており、第１アンテナ部３ａは、それ自体で放射電極として機能させることも可能である。また、第１アンテナ部３ａは、励振電極として機能させることも可能である。
【００３２】  以下にＲＦＩＤタグ１０の各構成要素について説明する。    ＜ＲＦＩＣ素子＞  図４Ａは、ＲＦＩＣ素子１の断面構造を示す概略断面図である。図４Ｂは、図４Ａの等価回路図である。  ＲＦＩＣ素子１は、ＲＦＩＤ信号を処理するＲＦＩＣチップ１１と、ＲＦＩＣチップ１１を実装する多層基板１５とを有するＲＦＩＣパッケージとして構成される。ＲＦＩＣチップ１１は、メモリ回路や信号処理回路を内蔵し、かつエポキシ樹脂製の封止樹脂１４等によって封止してもよい。ＲＦＩＣチップ１１は、導電性接合材１２と端子電極１３とを介して給電回路（整合回路）を構成する多層基板１５に実装されている。給電回路（整合回路）は、多層基板状に形成してもよい。
【００３３】  また、多層基板１５は、ＬＴＣＣ等のセラミックを材料からなるセラミック多層基板であって、Ｌ１及びＬ２等のＬパターン及びＣ１、Ｃ２及びＣＩＣ等のＣパターンからなる給電回路が内蔵されている。ＣＩＣは、ＲＦＩＣチップ１１の浮遊容量である。給電回路（整合回路）によって共振回路が形成されており、その共振周波数はキャリア周波数に対応する。このように給電回路（整合回路）を設けることによって、ＲＦＩＤタグ１０の第２アンテナ部３ｂ及びそれに接続する金属材２４とによって第２アンテナ部３ａの電気長が変化してもキャリア周波数の中心周波数は大きく変化しないようにすることができる。なお、多層基板１５は、端子電極２ａ、２ｂを介して第１アンテナ部３ａ及び第２アンテナ部３ｂと接続する。
【００３４】    ＜アンテナパターン＞  アンテナパターンとしては、ＲＦＩＣ素子１の一端部及び他端部にそれぞれ接続された第１アンテナ部３ａ及び第２アンテナ部３ｂを有する。第１アンテナ部３ａと第２アンテナ部３ｂとは、ＲＦＩＣ素子１について互いに非対称形状である。このアンテナパターンは、非対称型ダイポール、あるいは、異形ダイポールと呼ばれる。
【００３５】    ＜第１アンテナ部＞  第１アンテナ部３ａは、ＲＦＩＣ素子１の一端部及び他端部を接続するループ部４ａである。このループ部４ａは、それ自体で放射電極として機能するとともに、共振周波数を規定する整合回路を構成する励振電極としても機能する。また、放射電極としては、指向性を改善することができる。
【００３６】    ＜第２アンテナ部＞  第２アンテナ部３ｂは、小売物品が金属体でない場合には、図１Ｂ、図１Ｃに示すように、それ自体が放射電極として機能する。一方、小売物品が金属体である場合には、図１Ａ及び図３に示すように、第２アンテナ部３ｂは、金属体２４との接点５から端部にわたって金属体２４とラベル部を介して容量結合する。その結果、金属体２４をブースターアンテナとして利用できる。金属体２４が金属缶の場合には、その全周囲にわたってキャリアを受信する、あるいはキャリアを放射することができる。これによって、小売物品が金属体２４であってもＲＦＩＤタグ１０は遮蔽されることなくキャリアの受信及び放射が可能である。そこで、例えば、一方向からの読み取りであっても小売物品２４に取り付けられた小売物品用アテンションに含まれるＲＦＩＤタグ１０を読み取ることができる。
【００３７】  第１アンテナ部３ａ及び第２アンテナ部３ｂは、通常のアンテナ素子に用いられるものであれば使用でき、例えば、銅箔、銅板、銅めっき膜、金箔、金板、金めっき膜等の材料を用いることができる。材料は上記の例に限られず、通常使用されるものであれば使用できる。
【００３８】  ＜小売物品とＲＦＩＤタグとの接続＞  図１Ａ、図１Ｂ、図１Ｃに示すように、小売物品２４とＲＦＩＤタグ１０の第２アンテナ部３ｂとの接続は、ラベル部２１を介した容量結合である。
【００３９】（実施の形態２）  図５は、実施の形態２に係る小売物品用アテンション２０ａの構成を示す概略斜視図である。図６は、図５の小売物品用アテンション２０ａを金属体の小売物品２４に取り付けた場合のＲＦＩＤタグ１０ａと金属体２４との関係を示す概略図である。図７Ａは、実施の形態２に係る小売物品用アテンション２０ａの構成を示す平面図である。図７Ｂは、図７Ａの概略断面図である。図８は、図７Ａの小売物品用アテンション２０ａに含まれるＲＦＩＤタグ１０ａの等価回路図である。なお、図面には、発明の理解を助けるために、互いに直交するｘ軸、ｙ軸、およびｚ軸を備えるｘ−ｙ−ｚ座標系を示している。なお、本明細書においては、ｚ軸方向を小売物品用アテンション２０ａの厚さ方向とし、ｘ軸方向を幅方向とし、ｙ軸方向を長手方向とする。
【００４０】  実施の形態２に係る小売物品用アテンション２０ａは、実施の形態１に係る小売物品用アテンションと対比すると、第１アンテナ部３３ａがＲＦＩＣ素子１ａの一端部と他端部とを接続するループ部を含まない点で相違する。
【００４１】  図６に示すように、実施の形態２に係る小売物品用アテンション２０ａに含まれるＲＦＩＤタグ１０ａは、第２アンテナ部３３ｂがラベル部２１を介して金属体２４と容量結合する。これによって、金属体２４をブースターアンテナとして利用できる。そこで、小売物品が金属体２４の場合にも高いアンテナ利得が得られる。
【００４２】  図５に示す小売物品用アテンション２０ａに含まれるＲＦＩＤタグ１０ａは、ＵＨＦ帯、例えば９００ＭＨｚのキャリア周波数で無線通信を行うＲＦＩＤ（Radio Frequency Identification）タグであって、様々な小売物品に取り付けられて使用される。
【００４３】  この小売物品用アテンション２０ａは、ラベル部２１と、ラベル部２１の主面に設けられたＲＦＩＤタグ１０ａとを備える。ＲＦＩＤタグ１０ａは、ＲＦＩＣ素子１ａと、第１および第２アンテナ部３３ａ、３３ｂとを有する。ラベル部２１は、主面とその主面に対して平行に対向する裏面（取り付け面）とを備える平面視で矩形状の薄板形状であって、一様な厚さを備える。ラベル部２１は、また、低誘電率（好ましくは比誘電率が１０以下）の誘電体材料から作製されている。ラベル部２１は、例えば、ポリエチレンテレフタレート（ＰＥＴ）、フッ素系樹脂、ウレタン系樹脂、紙などの可撓性の誘電体材料から作製される。なお、ラベル部２１は、誘電体材料、且つ、磁性体材料から作製されていてもよい。
【００４４】  図７Ａに示すように、ラベル部２１の主面側には、第１アンテナ部３３ａ、第２アンテナ部３３ｂ、およびＲＦＩＣ素子１ａが設けられている。一方、図７Ｂに示すように、裏面の取り付け面には電極等が設けられておらず、小売物品の金属体に取り付けられる手段として機能する。なお、ラベル部２１の取り付け面には、小売物品２４に貼り付けるためのシール層が設けられている。このラベル部２１により、第１および第２アンテナ部３３ａ、３３ｂが、ラベル部２１の厚さに相当する所定の距離をあけて、小売物品２４の金属体に対して対向させることができる。すなわち、ラベル部２１は、第２アンテナ部３３ｂを小売物品の金属体に対して距離をあけて設けるためのスペーサの役割をしている。
【００４５】  第１アンテナ部および第２アンテナ部３３ａ，３３ｂは、例えば銅膜、アルミニウム膜などであって、可撓性且つ導電性の材料によって作製されている。本実施の形態の場合、第１および第２アンテナ部３３ａ、３３ｂは、長手方向と短手方向とを備える矩形状である。
【００４６】  また、第１アンテナ部および第２アンテナ部３３ａ，３３ｂは、ＲＦＩＤタグ１０ａの長さ方向（ｙ軸方向）に対向している。具体的には、第２アンテナ部３３ｂが、第１アンテナ部３３ａに対して独立した状態で、すなわち第１アンテナ部３３ａから形状的に距離をあけて離れた状態である。
【００４７】  第１アンテナ部３３ａは、図７Ａに示すように、幅方向（ｘ軸方向）に延在する２つのＴ字状部３４ａ、３４ｂを有し、長さｌ１と幅Ｗ１とを備え（ｌ１＞Ｗ１）、ＲＦＩＤタグ１０ａの幅方向（ｘ軸方向）に、主面に沿って延在している。一方、第２アンテナ部３３ｂは、長さｌ２と幅Ｗ２とを備え（ｌ２＞Ｗ２）、ＲＦＩＤタグ１０ａの長さ方向（ｙ軸方向）に、主面に沿って延在している。すなわち、主面において、第１および第２アンテナ部３３ａ、３３ｂは、互いに交差する方向、例えば互いに９０度異なる方向に延在している。
【００４８】  第１アンテナ部３３ａの幅Ｗ１は、第２アンテナ部３３ｂの幅Ｗ２に比べて小さい。また、第１アンテナ部３３ａの長さｌ１（延在方向の長さ）は、第２アンテナ部３３ｂの長さｌ２に比べて短い。したがって、第１アンテナ部３３ａの大きさ（上面視での大きさ）は、第２アンテナ部３３ｂの大きさに比べて小さい。
【００４９】  なお、本実施の形態の場合、第１アンテナ部３３ａの長さｌ１は、第２アンテナ部３３ｂの幅Ｗ２とほぼ等しい。これにより、ＲＦＩＤタグ１０ａの幅方向（ｘ軸方向）のサイズがコンパクト化される。
【００５０】  さらに、第１および第２アンテナ部３３ａ、３３ｂは、ＲＦＩＣ素子１ａと接続するためのランド部３２ａ、３２ｂを備える。ランド部３２ａ、３２ｂは、それぞれ第１および第２アンテナ部３３ａ、３３ｂの間で互いに対向するように設けられている。
【００５１】  図８は、小売物品（金属体）２４に取り付けられた状態のＲＦＩＤタグの等価回路である。  図８に示すように、第１アンテナ部３３ａと金属体２４の一部（第１アンテナ部３３ａと対向する部分）との間には浮遊容量Ｃ１１が存在する。また、第２アンテナ部３３ｂと金属体２４の一部（第２アンテナ部３３ｂと対向する部分）との間には浮遊容量Ｃ１２が存在する。この浮遊容量Ｃ１２と、第２アンテナ部３３ｂの寄生インダクタＬ５とにより、共振周波数が所定の周波数（例えば９００ＭＨｚ）の並列共振回路が形成されている。
【００５２】  次に、ＲＦＩＣ素子１ａについて説明する。
【００５３】  図８に示すＲＦＩＣ素子１ａは、例えば、９００ＭＨｚ帯、すなわちＵＨＦ帯の通信周波数に対応するＲＦＩＣ素子である。また、ＲＦＩＣ素子１ａは、可撓性を備えてもよい。さらに、ＲＦＩＣ素子１ａは、ＲＦＩＣチップ１１と、ＲＦＩＣチップ１１と第１アンテナ部３３ａおよび第２アンテナ部３３ｂとの間でインピーダンス整合をとるための整合回路１８とを有する。この整合回路１８では、第１及び第２入出力端子２ａ、２ｂとの間を接続するコイル部Ｌ３、Ｌ４を有している。これは、例えば、実施の形態１の第１アンテナ部のループ部を、ＲＦＩＣ素子１ａの中に取り込んでいることに相当する。この場合、第１アンテナ部３３ａには実施の形態１のような整合回路を構成するループ部を設けなくてもよい。なお、ＲＦＩＣ素子１ａ内の上記コイル部Ｌ３、Ｌ４は、整合回路１８の一部として機能するが、一方、放射部としては機能しない。
【００５４】  ＲＦＩＣチップ１１はまた、第１および第２入出力端子１３ａ、１３ｂを備える。第１入出力端子１３ａは、整合回路１８を介して第１アンテナ部３３ａに接続されている。第２入出力端子１３ｂは、整合回路１８を介して第２アンテナ部３３ｂに接続されている。
【００５５】  ＲＦＩＣチップ１１は、アンテナとして機能する第１および第２アンテナ部３３ａ、３３ｂが外部から高周波信号を受信すると、その受信によって誘起された電流の供給を受けて起動する。また、起動したＲＦＩＣチップ１１は、高周波信号を生成し、その生成信号を第１および第２アンテナ部３３ａ、３３ｂを介して電波として外部に出力する。
【００５６】（実施の形態３）  図９Ａは、実施の形態３に係る小売物品用アテンションに含まれるＲＦＩＤタグ１０ｂの構成を示す平面図である。図９Ｂは、実施の形態３に係る小売物品用アテンションを金属体の小売物品２４に取り付けた場合のＲＦＩＤタグ１０ｂと金属体２４との関係を示す概略図である。
【００５７】  実施の形態３に係る小売物品用アテンションに含まれるＲＦＩＤタグ１０ｂは、実施の形態１に係る小売物品用アテンションに含まれるＲＦＩＤタグと対比すると、第１アンテナ部４３ａがＲＦＩＣ素子１の一端部と他端部とを接続するループ部を含まない点で相違する。このＲＦＩＤタグ１０ｂは、通常の両側のアンテナ部が同じ長さのダイポールではなく、第１アンテナ部４３ａが第２アンテナ部４３ｂより短い非対称型ダイポールである。この非対称型ダイポールを用いたＲＦＩＤタグは、一端子型タグとも呼ばれる。一端子型タグは、例えば、国際出願公開ＷＯ２０１５／１１１４６６号パンフレット、ＷＯ２０１２／０９３５４１号パンフレット、ＷＯ２０１２／１１７８４３号パンフレットに記載している通りである。
【００５８】  通常の対称型のダイポールアンテナでは、中心の給電点で電圧ゼロ、電流分布最大となり、低インピーダンスで実現できる。一方、この一端子型タグ（非対称型ダイポール）では、左右の第１アンテナ部４３ａ及び第２アンテナ部４３ｂとはアンバランスな長さを有し、給電点で電圧ゼロとならず、電流分布も低い状態であり、高インピーダンスとなる。このため通常であればインピーダンス不整合によって電力が伝わらなくなる。これに対して、この一端子型タグ（非対称型ダイポール）では、内部に整合回路を有し通信周波数に相当する共振周波数を画定することができるＲＦＩＣ素子１を用いている。そこで、一端子型タグ（非対称型ダイポール）における高インピーダンスに対応することができ、電力を伝えることができる。
【００５９】  第１アンテナ部４３ａは、ＲＦＩＣ素子１の一端部から第１方向に延在し、第２アンテナ部４３ｂは、ＲＦＩＣ素子１の他端部から第１方向と反対方向に第２方向に延在している。
【００６０】  この第１アンテナ部４３ａは、第２アンテナ部４３ｂより短く、励振電極として機能する場合がある。また、第１アンテナ部４３ａは、それ自体で放射電極として機能する場合がある。また、励振電極及び放射電極の両方の機能を有する場合もある。
【００６１】  また、第２アンテナ部４３ｂは、小売物品が金属体でない場合にはそれ自体が放射電極として機能する。一方、小売物品が金属体である場合には、図９Ｂに示すように、第２アンテナ部４３ｂは、金属体２４との接点４５から端部にわたって金属体２４とラベル部を介して容量結合する。その結果、金属体２４をブースターアンテナとして利用できる。金属体２４が金属缶の場合には、その全周囲にわたってキャリアを受信する、あるいはキャリアを放射することができる。これによって、小売物品が金属体２４であってもＲＦＩＤタグ１０ｂは遮蔽されることなくキャリアの受信及び放射が可能である。そこで、例えば、一方向からの読み取りであっても小売物品を読み取ることができる。
【００６２】  第１アンテナ部４３ａ及び第２アンテナ部４３ｂは、通常のアンテナ素子に用いられるものであれば使用でき、例えば、銅箔、銅板、銅めっき膜、金箔、金板、金めっき膜等の材料を用いることができる。材料は上記の例に限られず、通常使用されるものであれば使用できる。
【００６３】（実施の形態４）  図１０Ａは、実施の形態４に係る小売物品用アテンションに含まれるＲＦＩＤタグ１０ｃの構成を示す平面図である。図１０Ｂは、実施の形態４に係る小売物品用アテンションを金属体の小売物品２４に取り付けた場合のＲＦＩＤタグ１０ｃと金属体２４との関係を示す概略図である。
【００６４】  実施の形態４に係る小売物品用アテンションに含まれるＲＦＩＤタグ１０ｃは、実施の形態３に係る小売物品用アテンションに含まれるＲＦＩＤタグと対比すると、第１アンテナ部５３ａの長手方向が途中で変化して、屈曲している点で相違する。具体的には、第１アンテナ部５３ａの長手方向が途中で９０°変化している。これによって、第１アンテナ部５３ａの最初の長手方向に対する長さを抑制しながら全体の電気長を長くすることができる。つまり、小売物品２４から突出する突出領域の長さを抑制できる。
【００６５】（実施の形態５）  図１１は、実施の形態５に係る小売物品用アテンションに含まれるＲＦＩＤタグ１０ｄの構成を示す平面図である。図１２Ａは、実施の形態５に係る小売物品用アテンションを長い金属体２４ｃの小売物品に取り付けた場合のＲＦＩＤタグ１０ｄと金属体２４ｃとの関係を示す概略図である。図１２Ｂは、実施の形態５に係る小売物品用アテンションを短い金属体２４ｄの小売物品に取り付けた場合のＲＦＩＤタグ１０ｄと金属体２４ｄとの関係を示す概略図である。
【００６６】  実施の形態５に係る小売物品用アテンションに含まれるＲＦＩＤタグ１０ｄは、実施の形態１に係る小売物品用アテンションに含まれるＲＦＩＤタグと対比すると、第１アンテナ部６３ａ及び第２アンテナ部６３ｂがミアンダ状である点で相違する。ミアンダ状にすることで、全体の電気長を保ちながら長手方向の長さを圧縮することができる。また、ＲＦＩＣ素子１ｂは、実施の形態１におけるＲＦＩＣ素子及び実施の形態２におけるＲＦＩＣ素子と対比すると、第１アンテナ部６３ａ及び第２アンテナ部６３ｂと金属体２４との接続に応じて共振周波数が変化する点で相違する。
【００６７】  このＲＦＩＤタグ１０ｄでは、第１アンテナ部６３ａの電気長を第２アンテナ部６３ｂの電気長より短くしている。また、第１アンテナ部６３ａの端部６４ａと、第２アンテナ部６３ｂの端部６４ｂとは、それぞれ小売物品２４と容量結合可能なように構成されている。つまり、このＲＦＩＤタグ１０ｄは、第１アンテナ部６３ａ及び第２アンテナ部６３ｂのいずれも金属体とラベル部を介して容量結合しうる。
【００６８】  図１２Ａでは、金属体２４ｃの長さｈ５が比較的長く、第１アンテナ部６３ａの電気長と金属体２４ｃの長さｈ５との合計がキャリアの波長λについて、およそλ／２（１５ｃｍ〜１６ｃｍ）に近い場合を示している。この場合には、第２アンテナ部６３ｂの端部６４ｂを金属体２４ｃとラベル部を介して容量結合させる。これによって、ＲＦＩＤタグ１０ｄのアンテナパターンの電気長をλ／２に近づけることができ、十分な通信距離を保つことができる。
【００６９】  図１２Ｂでは、金属体２４ｄの長さｈ６が比較的短く、第１アンテナ部６３ａの電気長と金属体２４ｄの長さｈ６との合計がキャリアの波長λについて、およそλ／２（１５ｃｍ〜１６ｃｍ）より短くなる場合を示している。この場合には、第１アンテナ部６３ａより長い第２アンテナ部６３ｂの電気長を利用し、第１アンテナ部６３ａの端部を金属体２４ｄとラベル部を介して容量結合させる。これによってＲＦＩＤタグ１０ｄのアンテナパターンの電気長をλ／２にできるだけ近づけて、十分な通信距離を保つことができる。
【００７０】  以上のように、実施の形態５に係る小売物品用アテンションに含まれるＲＦＩＤタグのＲＦＩＣ素子１ａは、、第１アンテナ部６３ａ及び第２アンテナ部６３ｂと金属体２４との接続に応じて共振周波数が変化する。この場合、金属体２４ｃ、２４ｄの長さｈ５、ｈ６に応じて電気長の異なる第１アンテナ部６３ａ又は第２アンテナ部６３ｂのいずれかをラベル部を介して容量結合させている。これによって、アンテナパターン全体の電気長をλ／２に近づけることができ、十分な通信距離を保つことができる。
【００７１】（実施の形態６）  図１３Ａは、実施の形態６に係る小売物品２４のＲＦＩＤタグ読み取りシステム７０の概要を示す概略図である。図１３Ｂは、図１３Ａの小売物品２４のＲＦＩＤタグ読み取りシステム７０のブロック図である。なお、図１３Ａでは、便宜上買い物かごの側方部分が透明な場合として示している。
【００７２】  実施の形態６に係る小売物品２４のＲＦＩＤタグ読み取りシステム７０は、アンテナ付きトレイ７２と、アンテナ付きトレイ７２とケーブル７４で接続されたリーダ８０と、を備える。アンテナ付きトレイ７２は、通常のＲＦＩＤタグを読み取るためのアンテナ（図示せず）を有する。リーダ８０は、例えば、制御部８１と、記憶部８２と、表示部８３と、入力部８４と、出力部８５と、を有する。図１３Ａに示すように、アンテナ付きトレイ７２には、実施の形態１に係る小売物品用アテンション２０を取り付けた小売物品２４ｅ、２４ｆ、２４ｇが収容された買い物かご７６が載せられている。
【００７３】  上述のように、小売物品用アテンション２０を取り付けた小売物品２４は、小売物品２４が金属体であってもＲＦＩＤタグの第２アンテナ部と金属体２４とを容量結合することで、金属体自体をブースターアンテナとして利用できる。  そこで、このＲＦＩＤタグ読み取りシステム７０では、買い物かご７６の中の小売物品用アテンション２０を取り付けた小売物品２４ｅ、２４ｆ、２４ｇについてそれぞれ読み取ることができる。つまり、買い物かご７６の中で、小売物品２４ｅ、２４ｆ、２４ｇは、互いに重なっているが、金属体の小売物品２４ｅ、２４ｆによる遮蔽を生じることなくアンテナ付きトレイ７２の一方向、例えば、図１３Ａの場合には鉛直下方からそれぞれ読み取ることができる。これによって、小売物品の精算の際に設けるアンテナの数を少なくできる。  なお、アンテナは１つだけでなく、必要に応じて複数設けてもよい。
【００７４】  また、上記ＲＦＩＤタグ読み取りシステム７０は、卓上タイプに限られず、例えば、ハンディタイプにしてもよい。この場合には、各小売物品が陳列棚に置かれた状態でアンテナ付きトレイ７２を陳列棚に近接させて各小売物品に付された小売物品用アテンション２０に含まれるＲＦＩＤタグを読み取ることができる。これによって、小売物品を陳列棚から一つづつ取り出す必要がなく、小売物品の棚卸し作業を簡易に行うことができる。
【００７５】  上記図５に示す小売物品用アテンション、及び、図９Ａに示すＲＦＩＤタグを含む小売物品用アテンションによれば、整合回路をパッケージ内に設けており、整合回路としても機能するループ部を外部に設けていない。これによって、整合回路が小売物品の材料や貼り付け位置による影響を受けないので、通信特性が安定化する。
【００７６】  なお、上記小売物品用アテンションは、「フラッグ型タグ」と呼ばれることがある。
【００７７】  なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００７８】  本発明に係る小売物品用アテンション及びこれを取り付けた小売物品によれば、小売物品が金属体であった場合にも、ラベル部の接着領域に小売物品の一部と対向配置して設けられた第２アンテナ部によって金属体をブースターアンテナとして利用できるので小売物品の材質によらず、高いアンテナ利得が得られる。
【符号の説明】
【００７９】１  ＲＦＩＣ素子２ａ  第１入出力端子（端子電極）２ｂ  第２入出力端子（端子電極）３  アンテナパターン３ａ  第１アンテナ部３ｂ  第２アンテナ部４ａ  ループ部４ｂ  引き出し部１０、１０ａ、１０ｂ、１０ｃ、１０ｄ  無線通信デバイス（ＲＦＩＤタグ）１１  ＲＦＩＣチップ１２  導電性接合材１３  端子電極１４  封止樹脂１５  多層基板１８  整合回路２０、２０ａ、２０ｂ  アテンション２１  ラベル部２２  突出領域２３  接着領域２４、２４ａ、２４ｂ、２４ｃ、小売物品３２ａ  第１入出力端子３２ｂ  第２入出力端子３３ａ、４３ａ、５３ａ、６３ａ  第１アンテナ部３３ｂ、４３ｂ、５３ｂ、６３ｂ  第２アンテナ部３４ａ  第１アンテナ第１分岐部３４ｂ  第１アンテナ第２分岐部３５、４５、５５、６５  金属体との接点６４ａ  第１アンテナ幅広部６４ｂ  第２アンテナ幅広部７０  ＲＦＩＤタグ読み取りシステム７２  アンテナ付きトレイ７４  ケーブル７６  買い物かご８０  リーダ８１  制御部８２  記憶部８３  表示部８４  入力部８５  出力部
【図１Ａ】
2018012427.tif 000003
【図１Ｂ】
2018012427.tif 000004
【図１Ｃ】
2018012427.tif 000005
【図２】
2018012427.tif 000006
【図３】
2018012427.tif 000007
【図４Ａ】
2018012427.tif 000008
【図４Ｂ】
2018012427.tif 000009
【図５】
2018012427.tif 000010
【図６】
2018012427.tif 000011
【図７Ａ】
2018012427.tif 000012
【図７Ｂ】
2018012427.tif 000013
【図８】
2018012427.tif 000014
【図９Ａ】
2018012427.tif 000015
【図９Ｂ】
2018012427.tif 000016
【図１０Ａ】
2018012427.tif 000017
【図１０Ｂ】
2018012427.tif 000018
【図１１】
2018012427.tif 000019
【図１２Ａ】
2018012427.tif 000020
【図１２Ｂ】
2018012427.tif 000021
【図１３Ａ】
2018012427.tif 000022
【図１３Ｂ】
2018012427.tif 000023
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
小売物品の金属体に接着される接着領域及び前記小売物品から突出する突出領域を有するラベル部と、
前記ラベル部に設けられたＲＦＩＤタグであって、ＲＦＩＣチップと、前記ＲＦＩＣチップに接続された整合回路と、前記ＲＦＩＣチップの一端部及び他端部にそれぞれ接続された第１アンテナ部及び第２アンテナ部を有するアンテナパターンと、を有するＲＦＩＤタグと、
を備え、
前記ＲＦＩＤタグの前記整合回路および前記第１アンテナ部は、前記ラベル部の前記突出領域に設けられており、前記ＲＦＩＤタグの前記第２アンテナ部は、前記ラベル部の前記接着領域に前記小売物品の金属体と対向配置して設けられている、
小売物品用アテンション。
【請求項２】
前記第１アンテナ部と前記第２アンテナ部とは、前記ＲＦＩＣチップについて互いに非対称形状である、請求項１に記載の小売物品用アテンション。
【請求項３】
前記第１アンテナ部は、前記ＲＦＩＣチップの前記一端部及び前記他端部を接続するループ部であり、前記第２アンテナ部は、前記他端部の近傍から突出した引出し部である、請求項１に記載の小売物品用アテンション。
【請求項４】
前記アンテナパターンは、前記ＲＦＩＣチップの前記一端部及び前記他端部を接続するループ部を含まない、請求項１に記載の小売物品用アテンション。
【請求項５】
前記第１アンテナ部は、前記ＲＦＩＣチップの一端部から第１方向に延在し、前記第２アンテナ部は、ＲＦＩＣチップの他端部から前記第１方向と反対方向に第２方向に延在している、請求項１に記載の小売物品用アテンション。
【請求項６】
前記第１アンテナ部の長手方向は、前記第２アンテナ部の長手方向に対してほぼ直交方向である、請求項１に記載の小売物品用アテンション。
【請求項７】
前記ＲＦＩＣチップと、前記整合回路と、を含むＲＦＩＣパッケージが構成され、
前記整合回路によって、通信周波数に相当する共振周波数を画定する、請求項１に記載の小売物品用アテンション。
【請求項８】
前記第１アンテナ部の電気長は、前記第２アンテナ部の電気長より短い、請求項１に記載の小売物品用アテンション。
【請求項９】
前記ラベル部は、絶縁性の粘着剤で前記小売物品に取り付けられている、請求項１に記載の小売物品用アテンション。
【請求項１０】
小売物品用アテンションが取り付けられた小売物品であって、前記小売物品用アテンションは、前記小売物品の金属体に接着される接着領域及び前記小売物品から突出する突出領域を有するラベル部と、
前記ラベル部に設けられたＲＦＩＤタグであって、ＲＦＩＣチップと、前記ＲＦＩＣチップに接続された整合回路と、前記ＲＦＩＣチップの一端部及び他端部にそれぞれ接続された第１アンテナ部及び第２アンテナ部を有するアンテナパターンと、を有するＲＦＩＤタグと、
を備え、
前記ＲＦＩＤタグの前記整合回路および前記第１アンテナ部は、前記ラベル部の前記突出領域に設けられており、前記ＲＦＩＤタグの前記第２アンテナ部は、前記ラベル部の前記接着領域に前記小売物品の金属体と対向配置して設けられている、
小売物品用アテンションが取り付けられた小売物品。
【国際調査報告】
2018012427.tif 000024
2018012427.tif 000025
2018012427.tif 000026